(57)【要約】【課題】照明器具を天井等の被取付部に複数の取付角度の中から選択した所望の取付角度で取り付けることができる照明器具取付具において、照明器具の取付作業の簡素化を図りかつ照明器具取付後の見栄えの低下を回避する。【解決手段】照明器具が取り付けられる、該照明器具が取り付けられたときに該照明器具が所定の取付角度となる照明器具取付部１２を備えた照明器具取付具１であって、前後方向における照明器具の取付角度が互いに異なる複数の照明器具取付部１２Ａ，１２Ｂ，１２Ｃを、前記前後方向に直交する横方向（左右方向）に一列に配設する。【選択図】図１
0003214442.tif 000002
【実用新案登録請求の範囲】
【請求項１】
照明器具が取り付けられる、該照明器具が取り付けられたときに該照明器具が所定の取付角度となる照明器具取付部を備えた照明器具取付具であって、
前後方向における前記照明器具の取付角度が互いに異なる複数の前記照明器具取付部が、前記前後方向に直交する横方向に一列に配設されていることを特徴とする照明器具取付具。
【請求項２】
前記複数の照明器具取付部のそれぞれが、互いに異なる傾斜角度で前記前後方向に傾斜した取付面であって、前記照明器具取付部に前記照明器具が取り付けられたときに、前記取付面の傾斜角度により前記照明器具の取付角度が特定される取付面を有していることを特徴とする請求項１記載の照明器具取付具。
【請求項３】
前記照明器具取付部に、前記照明器具を取り付けるための取付孔又は取付突起が前記取付面に直交する方向に延びて形成され、かつ、前記複数の照明器具取付部のそれぞれに形成された前記取付孔又は取付突起が前記横方向に一列に並んで形成されていることを特徴とする請求項２記載の照明器具取付具。
【請求項４】
前記照明器具取付部が、前記照明器具を保持する照明器具保持体が取り付けられるものであって、該照明器具保持体に前記照明器具が保持されたときに該照明器具が前記取付角度で保持されるように前記照明器具保持体が取り付けられるものであることを特徴とする請求項２または３記載の照明器具取付具。
【請求項５】
前記取付面が、底板部と該底板部に連結された前板部と前記底板部に連結された後板部とを有する前記照明器具保持体の前記底板部が載置される面であり、前記取付面に前記底板部が載置されて前記照明器具保持体の前記前後方向の角度が規定されるものであることを特徴とする請求項４記載の照明器具取付具。
【請求項６】
前記照明器具が長尺状の照明器具であることを特徴とする請求項１〜５いずれか１項記載の照明器具取付具。
【請求項７】
横方向に延びる板状の基部と、該基部から後方かつ上方に向けて互いに異なる傾斜角度で傾斜して延びる、前記横方向に並んで位置する板状の照明器具取付部と、前記基部の横方向両端部からそれぞれ後方に延びる左右の腕部であって後端部が階段状に折り曲げて一段高く形成された左右の腕部とを備えた、一枚の板材から形成された主体部と、
前記左右の腕部の後端部を連結する横方向に延びる板状の連結体部とを備え、
前記左右の腕部の一段高く形成された後端部の下面に前記連結体部の左右両端部の上面が当接して連結され、
前記照明器具取付部のそれぞれは、前記基部から後方かつ上方に向けて傾斜して延びる取付板部と、該取付板部の後端から下方に向けて折り曲げられた後縦板部と、該後縦板部の下端から前方に向けた折り曲げられた下板部とを備え、該下板部はその上面が前記連結体部の下側に位置し、
前記基部の下面と前記下板部の下面とが同一平面内に位置し、
前記照明器具取付部の取付板部には、該取付板部の上面に直交する方向に延びる取付孔または取付突起が形成されていることを特徴とする照明器具取付具。
【請求項８】
照明器具が取り付けられる、該照明器具が取り付けられたときに前後方向における前記照明器具の取付角度が互いに異なる複数の前記照明器具取付部と、該照明器具取付部に取り付けられる、前記照明器具を保持する照明器具保持体とを備えた照明器具取付装置であって、
前記複数の照明器具取付部のそれぞれが、互いに異なる傾斜角度で前記前後方向に傾斜した取付面を有し、前記前後方向に直交する横方向に一列に配設されており、
前記照明器具保持体が、底板部と該底板部に連結された前板部および後板部を有し、
前記照明器具保持体の底板部が、前記複数の照明器具取付部のいずれかの取付面上に前記前板部と前記後板部とを前記前後方向に位置させた状態で載置されて前記照明器具取付部に取り付けられることにより、前記照明器具保持体の前記前後方向の角度が規定されるものであることを特徴とする照明器具取付装置。
【考案の詳細な説明】
【技術分野】
【０００１】
本考案は、予め用意された複数の取付角度の中から選択した所望の取付角度で照明器具を取り付けることができる照明器具取付具および照明器具取付装置に関する。
【背景技術】
【０００２】
従来から、照明器具を取り付ける照明器具取付具であって、照明器具の取付角度を可変としたものが用いられている。そのような取付具として、例えば特許文献１に記載されているような、取付角度を予め決められた複数の角度のいずれかに変更可能としたものが提案されている。
【０００３】
特許文献1に記載された照明器具取付具は、照明器具を柱に取り付けるためのものであって、柱取付金具本体と、柱取付金具本体に回動可能に軸支された照明器具取付金具とを備え、照明器具取付金具にスリットを形成すると共に、柱取付金具本体に、照明器具取付金具を柱取付金具本体に対して予め設定された複数の角度に回動傾斜させた時にそれぞれの傾斜角度において照明器具取付金具のスリットに合致する位置にスリットを形成しておき、照明器具取付金具を予め設定された複数の角度の中から選択したいずれかの角度に傾斜させ、その状態で照明器具取付金具と柱取付金具本体との合致したスリットに板状部材を挿入することで照明器具取付金具を柱取付金具本体に固定する構造を採用している。
【先行技術文献】
【特許文献】
【０００４】
【特許文献１】実用新案登録第３１６２７５３号公報
【考案の概要】
【考案が解決しようとする課題】
【０００５】
しかしながら、上記特許文献１記載の照明器具取付具は、照明器具を取り付ける際、まず照明器具取付金具を所望の角度に傾斜させ、その状態で照明器具取付金具と柱取付金具本体との合致したスリットに板状部材を挿入する必要がある。つまり照明器具を取り付ける際に照明器具取付金具を所望の角度に調整する作業が必要であり、照明器具取付金具を所望の角度に調整したのち、調整した照明器具取付金具に照明器具を取り付けることとなり、照明器具の取付作業が煩雑であるという問題がある。
【０００６】
本考案の目的は、上記事情に鑑み、複数の予め設定された取付角度の中から選択した所望の取付角度で照明器具を取り付けることができると共に、その取付け作業の簡素化を図った照明器具取付具および照明器具取付装置を提供することにある。
【課題を解決するための手段】
【０００７】
本考案にかかる照明器具取付具は、
照明器具が取り付けられる照明器具取付部であって、前後方向における照明器具の取付角度が互いに異なる複数の照明器具取付部が、前後方向に直交する横方向に一列に配設されていることを特徴とする。
【０００８】
上記照明器具取付部は、照明器具が直接取り付けられるものであっても良いし、照明器具保持体等の取付用治具を介して取り付けられるものであっても良い。後者の場合は、照明器具取付部は直接的には取付用治具が取り付けられることになる。
【０００９】
本考案にかかる照明器具取付装置は、
照明器具が取り付けられる、該照明器具が取り付けられたときに前後方向における前記照明器具の取付角度が互いに異なる複数の前記照明器具取付部と、該照明器具取付部に取り付けられる、前記照明器具を保持する照明器具保持体とを備えた照明器具取付装置であって、
前記複数の照明器具取付部のそれぞれが、互いに異なる傾斜角度で前記前後方向に傾斜した取付面を有し、前記前後方向に直交する横方向に一列に配設されており、
前記照明器具保持体が、底板部と該底板部に連結された前板部および後板部を有し、
前記照明器具保持体の底板部が、前記複数の照明器具取付部のいずれかの取付面上に前記前板部と前記後板部とを前記前後方向に位置させた状態で載置されて前記照明器具取付部に取り付けられることにより、前記照明器具保持体の前記前後方向の角度が規定されるものであることを特徴とする照明器具取付装置。
【考案の効果】
【００１０】
本考案に係る照明器具取付具および照明器具取付装置は、照明器具が取り付けられたときに取付角度が互いに異なる複数の照明器具取付部を備えているので、取付部自体を動かして所望の角度に設定する必要が無く、所望の取付角度となる取付部を選択して取り付けるだけでよいので、取付が簡単で取付作業の簡素化を図ることができる。また、照明器具取付部は前後方向における照明器具の取付角度が互いに異なるものを横方向に一列に設けているので、長尺状の照明器具の場合、照明器具をいずれかの照明器具取付部に取り付けることで全ての照明器具取付部が照明器具の後側に位置し、照明器具で覆い隠すことが可能であり、使用していない照明器具取付部が露出することによる見栄えの低下を回避できる。
【図面の簡単な説明】
【００１１】
【図１】本考案に係る照明器具取付具の一実施形態の斜視図
【図２】図１に示す実施形態の平面図
【図３】図１に示す実施形態の正面図
【図４】図１に示す実施形態の左側面図
【図５】図２中のＶ−Ｖ線断面図
【図６】図３中のＶＩ−ＶＩ線断面図
【図７】本考案に係る照明器具保持体の一実施形態の斜視図
【図８】図１に示す実施形態を用いた照明器具の取付方法を説明するための図
【図９】図１に示す実施形態を用いた照明器具の取付状態を示す斜視図
【考案を実施するための形態】
【００１２】
以下、図面を参照して本考案に係る照明器具取付具および照明器具取付装置の実施形態について説明する。
【００１３】
図１に示す本考案の一実施形態である照明器具取付具１は、壁、天井、棚板等の各種の被取付部に照明器具を取り付けるためのものであり、照明器具取付具１を用いて、例えば、図９に示すように、横方向に延びる長尺状の照明器具１００が、被取付部１１０の一例である天井に前後方向に少し角度をつけて、つまり天井に対して直角に真下（矢印Ｐ方向）に向けてではなく、直角な方向から前後方向に所定角度θだけ傾けて矢印Ｄ方向に向けて取り付けられる。
【００１４】
本実施形態においては、上記角度θが照明器具の取付角度であり、この取付角度θは、後述する照明器具取付部１２の傾斜角度（５°、１０°、１５°）によって定まる角度である。なお、本考案における照明器具の取付角度は、被取付部に照明器具を取り付けた場合の被取付部上に設定された任意の基準面に対する照明器具の向き（例えば照明器具から出射される照明光の中心軸の向き）がなす角度を意味する。
【００１５】
取り付けられる照明器具はどのような種類の照明器具でも良いが、本実施形態で取り付け対象としている照明器具１００は、細長い回路基板上に多数のＬＥＤ発光体を所定間隔をおいて一列に配設したものを透光性を有するカバーを備えたケースに収容した集光タイプの照明器具であって、図９中の横方向から見たときの出射光の広がりが所定の角度範囲となるよう集光されて光出射するものである。また、本実施形態で取り付け対象としている照明器具１００は、図８に示すように、前側面１０１および後側面１０２に後述する照明器具保持体の係止片３４が入り込んで照明器具１００を照明器具保持体３０に係止保持させる係止凹部１０３が形成されている。
【００１６】
図１に戻って本実施形態の照明器具取付具１を説明する。本実施形態の照明器具取付具１は、主体部１０と連結体部２０とで構成されている。なお、上下左右前後は図１中に矢印で示す通りであり、横方向は左右方向を意味する。
【００１７】
主体部１０は１枚の金属板から折曲成形して形成されており、横方向（左右方向）に延びる板状の基部１１と、該基部１１から後方かつ上方に向けて互いに異なる傾斜角度で傾斜して延びる、前記横方向に所定間隔を開けて並んで位置する３個の照明器具取付部１２（１２Ａ，１２Ｂ，１２Ｃ）と、基部１１の横方向両端部から後方に向けて延びる左右の腕部１３とを備えている。
【００１８】
照明器具取付部１２は、いずれも基部１１から立ち上がった前縦板部１２ａと、前縦板部１２ａの上端から後方かつ上方に向けて所定角度で傾斜して延びる取付板部１２ｂと、取付板部１２ｂの後端から折り曲げられて下方に延びる後縦板部１２ｃと、後縦板部１２ｃの下端から折り曲げられて前方に延びる下板部１２ｄとを備えている。
【００１９】
腕部１３は、基部１１から後方に延びる腕主部１３ａと、腕主部１３ａの後端から立ち上がったのち腕主部１３ａより一段高い位置から後方に延びる後端部１３ｂとを備えている。腕部１３には、腕主部１３ａに長孔状の取付孔１３ｃが、後端部１３ｂに丸孔状の孔１３ｄが形成されている。孔１３ｄは後述する連結体部２０も貫通して設けられている。
【００２０】
連結体部２０は、横方向に延びる細長い板状体で構成されており、左右両端部が左右の腕部の後端部１３ｂの下側に位置して該後端部１３ｂにバーリングカシメにより連結されている。このバーリングカシメは上記孔１３ｄ部分で行われている。
【００２１】
基部１１、腕部の腕主部１３ａおよび連結体部２０の底面は同一面上に位置し、それらによって照明器具取付具１の底面である取付具底面が形成されている。
【００２２】
照明器具取付部１２の各取付板部１２ｂは、それぞれ照明器具取付具１の取付具底面に対して互いに異なる角度で傾斜しており、左側の照明器具取付部１２Ａの取付板部１２ｂが５°、中央の照明器具取付部１２Ｂの取付板部１２ｂが１０°、右側の照明器具取付部１２Ｃの取付板部１２ｂが１５°、それぞれ取付具底面に対して傾斜している。前縦板部１２ａは、左側の照明器具取付部１２Ａの前縦板部１２ａが一番高く、中央の照明器具取付部１２Ｂの前縦板部１２ａが次に高く、右側の照明器具取付部１２Ｃの前縦板部１２ａが一番低い。各取付板部１２ｂの上面は照明器具１００が取り付けられる取付面である。
【００２３】
各取付板部１２ｂには、照明器具１００を取り付けるための取付孔１２ｅが形成されている。各取付孔１２ｅは、バーリング加工によって形成された後にＭ４ネジが切られた孔であり、各取付板部１２ｂの上記取付面に対して直角に延びる孔であって、横方向に一直線上に位置して並ぶように形成されている。また、各取付板部１２ｂには、右側端部に右側端から折り曲げて取付面から上方に突出させた位置規制部１２ｆが設けられている。位置規制部１２ｆは後述する照明器具保持体の底板部３１の側面を当接させて底板部３１の横方向の位置を規制するものである。
【００２４】
各取付板部１２ｂには、上記取付孔１２ｅに代えて、図示しない取付突起、例えば外周面に雄ネジが形成されたネジ棒を設けても良い。ネジ棒の場合は、例えば後述する照明器具保持体の底板部の取付孔３５をネジ棒に通して上からナットで締め付けることにより照明器具保持体３０を取り付けることができる。
【００２５】
なお、照明器具取付部１２の前縦板部、取付板部、後縦板部、下板部、取付孔の付番１２ａ，１２ｂ，１２ｃ，１２ｄ，１２ｅは傾斜角度が一番大きい照明器具取付部１２Ｃにのみ付し、他の照明器具取付部１２Ａ，１２Ｂについては省略している。また、腕部１３の腕主部、後端部、長孔状の取付孔、丸孔状の孔の付番１３ａ、１３ｂ、１３ｃ、１３ｄは右側の腕部１３にのみ付し、左側の腕部１３については省略している。
【００２６】
本実施形態の照明器具取付具１は、照明器具１００が直接取り付けられるものではなく、照明器具保持体を介して間接的に取り付けられるものであり、照明器具保持体の一例を図７に示す。
【００２７】
図７に示す照明器具保持体３０は、底板部３１と、底板部３１の前端から立ち上がった前板部３２と、底板部３１の後端から立ち上がった後板部３３とを備えており、断面が略コ字状となるように薄い金属板により形成されている。
【００２８】
底板部３１は、中央の平坦な板状の中底部３１ａと、中底部３１ａの前端から立ち上がったのち前方に延びる前底部３１ｂと、中底部３１ａの後端から立ち上がったのち後方に延びる後底部３１ｃとからなり、断面が略逆ハット状に形成されている。中底部３１ａには取付孔３５が形成され、前板部３２および後板部３３にはそれぞれ、切込みを入れて内側に折り曲げた係止片３４が形成されている。
【００２９】
次に、上記照明器具取付部１と上記照明器具保持体３０とからなる、本考案に係る照明器具取付装置の一実施形態を用いて照明器具１００を取り付ける方法の一例について、図８、図９を参照しながら説明する。
【００３０】
まず、照明器具１００を取り付ける被取付部の一例である天井１１０に照明器具取付具１を固定する。本実施形態においては照明器具１００が長尺状であるので、照明器具１００の長さに合わせて一直線上に所定間隔をおいて照明器具取付具１を２個取り付けているが、照明器具の大きさに応じて１個でも、あるいは３個以上取り付けても良い。ただし、一つの長尺状の照明器具のために複数個取り付ける場合は、一直線上にかつその直線に対して照明器具取付部１２が並ぶ上記横方向が平行になるように取り付ける必要がある。
【００３１】
照明器具取付具１の天井１１０への固定は、照明器具取付部１の取付具底面を天井１１０に当接させ、左右の腕部１３に形成されている２つの長孔状の取付孔１３ｃに頭付きねじ（不図示）をそれぞれ挿通し天井１０１に螺入させてねじ止めすることにより行う。
【００３２】
次に、３つの照明器具取付部１２のうちから照明器具１００を取り付けたい取付角度に応じた傾斜角度を有している照明器具取付部１２を選択し、選択した照明器具取付部１２に照明器具保持体３０を取り付ける。
【００３３】
照明器具保持体３０の取付は、照明器具保持体３０の前板部３２を前側に、後板部３３を後側に位置させて底板部の中底部３１ａを照明器具取付部の取付板部１２ｂ上に、つまり取付板部１２ｂの上面である取付面上に載置し、中底部３１ａを、ひいては照明器具保持体３０を取付板部１２ｂの傾斜角度に傾斜させた状態とし、その状態で頭付きＭ４ネジ４０を中底部の取付孔３５に挿通し取付板部の取付孔１２ｅに螺入させてねじ止めすることにより行う。
【００３４】
図８（ａ）は、照明器具保持体３０を傾斜角度が一番小さい照明器具取付部１２Ａに取り付けた状態を、図８（ｂ）は照明器具保持体３０を傾斜角度が中間の照明器具取付部１２Ｂに取り付けた状態を、図８（ｃ）は照明器具保持体３０を傾斜角度が一番大きい照明器具取付部１２Ｃに取り付けた状態を示している。
【００３５】
上記のように照明器具保持体３０を照明器具取付具１に取り付けた後、照明器具１００をその後側（光が出射する側が前側）を照明器具保持体３０に向けて照明器具保持体３０の開口側から挿入する。照明器具保持体３０の前板部３２と後板部３３との間隔は照明器具１００の前後幅に略一致させて形成されており、従って照明器具１００を挿入していくと、照明器具１００の後面前後端部が照明器具保持体の係止片３４を前後方向に押し、係止片３４あるいは前板部３２および後板部３３を前後方向に弾性変形させて押し開きながら入っていき、後面が前底部３１ｂおよび後底部３１ｃに当接したところで、係止片３４が図８に示すように照明器具１００の凹部１０３に弾性力で入り込む。これにより、照明器具１００が照明器具取付具１に照明器具保持体３０を介して取り付けられ、係止片３４の働きにより照明器具１００の照明器具保持体３０、ひいては照明器具取付具１からの離脱抜け出しが阻止される。
【００３６】
なお、照明器具１００を取り外す際は、照明器具保持体３０の前板部３２および後板部３３を前後方向に手で押し広げて係止片３４を係止凹部１０３から外した状態で、照明器具１００を照明器具保持体３０から抜き出すことにより容易に行うことができる。
【００３７】
上記照明器具取付具の実施形態および照明器具取付装置の実施形態によれば、あらかじめ照明器具の取付角度が互いに異なる複数の照明器具取付部１２を備えているので、照明器具取付部１２を所望の取付角度に対応する傾斜角度に傾斜させる作業が不要であり、聡明器具を簡単に所望の取付角度に取り付けることができる。
【００３８】
また、照明器具取付部１２は前後方向に互いに異なる取付角度で照明器具を取り付けるものであってその照明器具取付部１２が前後方向に直交する横方向に一列に並んで配設されているので、例えば長尺状の照明器具を取り付ける場合、いずれの照明器具取付部１２を用いて照明器具を取り付けても、すべての照明器具取付部１２は照明器具の後ろ側に位置して照明器具で覆い隠されるので、使用していない照明器具取付部１２が露出することによる見栄えの低下を回避することができる。
【００３９】
また、上記実施形態のように、主体部１０と連結体部２０とで構成することにより、簡単かつ安価に製造できるとともに、特に取付板部１２ｂの強度向上が図られ、大きな照明器具を取り付けた場合でもその重量に耐えて照明器具を安全確実に保持することができる。
【００４０】
本考案に係る照明器具取付具は、照明器具の前後方向における取付角度が互いに異なる複数の照明器具取付部を備え、該照明器具取付部が前後方向に直交する横方向に一列に配設されているものであればよく、その具体的態様としては種々のものが考えられ、上記の実施形態に限定されるものではない。
【００４１】
特に、上記実施形態では板材により主体部１０と連結体部２０とを形成しているが、必ずしも板状の部材で形成する必要はなく、また、主体部１０と連結体部２０という２つの部材で形成する必要もなく、また、照明器具取付部１２も、必ずしも傾斜した取付面を有している必要もなく、要は照明器具取付部１２に照明器具を直接または間接的に取り付けた場合取り付けることによっておのずと取付角度が規定される状態で取り付けられるものであれば、どのような構造のものであっても良い。
【００４２】
上記実施形態では照明器具取付部１２は互いに傾斜角度が異なるものを３個一列に配設しているが、２個でも、あるいは４個以上一列に配設したものであっても良い。また、各照明器具取付部の傾斜角度、つまり照明器具の取付角度は、上記実施例では５°の等間隔に設定されているが、５°以外の角度の等間隔であっても良いし、あるいは、それぞれの傾斜角度を等間隔でない任意の角度に設定することもできる。
【符号の説明】
【００４３】
１      照明器具取付具
１０    主体部
１１    基部
１２    照明器具取付部
１２ａ  前縦板部
１２ｂ  取付板部
１２ｃ  後縦板部
１２ｄ  下板部
１２ｅ  取付孔
１２ｆ  位置規制部
１３    腕部
１３ａ  腕主部
１３ｂ  後端部
１３ｃ  取付孔
１３ｄ  孔
２０    連結体部
３０    照明器具保持体
３１    底板部
３２    前板部
３３    後板部
３４    係止片
３５    取付孔
１００  照明器具
１０３  係止凹部
１１０  被取付部
【図１】
0003214442.tif 000003
【図２】
0003214442.tif 000004
【図３】
0003214442.tif 000005
【図４】
0003214442.tif 000006
【図５】
0003214442.tif 000007
【図６】
0003214442.tif 000008
【図７】
0003214442.tif 000009
【図８】
0003214442.tif 000010
【図９】
0003214442.tif 000011